(57)【要約】能動負荷変調のための一例はビットの変調部および非変調部を決定することを含む。さらに、例示方法はビットの変調部の期間に受信されたキャリア信号の位相をホールドすることを含む。さらに、例示方法は、ビットの非変調部の期間に受信されたキャリア信号に同期化することを含む。
2018511214.tif 000002
【特許請求の範囲】
【請求項１】
能動負荷変調のための方法において、
ビットの変調部と非変調部を決定することと、
前記ビットの前記変調部の期間に、受信されたキャリア信号の位相をホールドすることと、および
前記ビットの前記非変調部の期間に前記キャリア信号に同期化することと、
を備えた方法。
【請求項２】
前記受信されたキャリア信号とローカルクロック信号との間の位相関係を決定することとをさらに備えた、請求項１の方法。
【請求項３】
前記同期化することは、前記前記決定された位相関係に基づいて前記受信されたキャリア信号に同期化することを備えた、請求項２の方法。
【請求項４】
前記決定された位相関係がミスマッチを示したとき前記ローカルクロック信号の位相を調整することを更に備えた、請求項２の方法。
【請求項５】
前記同期化することは実質的に６ＧＨｚに近接した周波数で前記キャリア信号に同期化することを備えた、請求項１の方法。
【請求項６】
ビットの変調部と非変調部を決定するように構成されたコントロールユニットと、および
前記ビットの前記変調部の期間に受信されたキャリア信号の位相をホールドし、前記ビットの前記非変調部の期間に前記受信されたキャリア信号に同期化するように構成された位相ロックループ（ＰＬＬ）と、
を備えた、能動負荷変調のための装置。
【請求項７】
前記受信されたキャリア信号とローカルクロック信号との間の位相関係を決定するように構成された位相−周波数検出器（ＰＦＤ）とをさらに備えた、請求項６の装置。
【請求項８】
前記ＰＬＬは前記決定された位相関係に基づいて前記受信されたキャリア信号に同期化するように構成される、請求項７の装置。
【請求項９】
前記ＰＬＬは前記決定された位相関係がミスマッチを示したとき前記ローカルクロック信号の位相を調整するように構成される、請求項７の装置。
【請求項１０】
前記ＰＬＬは実質的に６ＧＨｚに近接した周波数で前記受信されたキャリア信号に同期化するように構成される、請求項６の装置。
【請求項１１】
能動負荷変調のための装置において、
ビットの変調部と非変調部を決定する手段と、
前記ビットの前記変調部の期間に受信されたキャリア信号の位相をホールドする手段と、
前記ビットの前記非変調部の期間に前記受信されたキャリア信号に同期化する手段と、
を備えた装置。
【請求項１２】
前記受信されたキャリア信号とローカルクロック信号との間の位相関係を決定する手段をさらに備えた請求項１１の装置。
【請求項１３】
前記同期化する手段は前記決定された位相関係に基づいて前記受信されたキャリア信号に前記ローカルクロック信号を同期化させるように構成される、請求項１２の装置。
【請求項１４】
前記決定された位相関係がミスマッチを示したとき前記前記ローカルクロック信号の位相を調整する手段をさらに備えた、請求項１２の装置。
【請求項１５】
前記同期化する手段は、実質的に６ＧＨｚに近接する周波数で前記キャリア信号に同期化するように構成される、請求項１１の装置。
【請求項１６】
能動負荷変調のためのコンピュータ実行可能なコードを記憶するコンピュータ可読媒体において、
ビットの変調部と非変調部を決定するためのコードと、
前記ビットの変調部の期間にローカルクロック信号の位相をホールドするためのコードと、および
前記ビットの前記非変調部の期間に受信されたキャリア信号に前記ローカルクロック信号を同期化させるためのコードと、
を備えた、コンピュータ可読記憶媒体。
【請求項１７】
前記受信されたキャリア信号とローカルクロック信号との間の位相関係を決定するためのコードをさらに備えた、請求項１６のコンピュータ可読記憶媒体。
【請求項１８】
前記同期化するためのコードは、前記決定された位相関係に基づいて前記受信されたキャリア信号に同期化することを備えた、請求項１７のコンピュータ可読媒体。
【請求項１９】
前記決定された位相関係がミスマッチを示したとき前記ローカルクロック信号の位相を調整するためのコードをさらに備えた、請求項１７のコンピュータ可読媒体。
【請求項２０】
前記同期化するためのコードは、実質的に６ＧＨｚに近接した周波数で前記キャリア信号に同期化することを備えた、請求項１６のコンピュータ可読媒体。
【発明の詳細な説明】
【関連出願】
【０００１】
本願は、2015年2月18日に出願され「ACTIVE LOAD MODULATION IN NEAR FIELD COMMUNICATION」と題された米国非仮出願第14／625,518号の優先権を主張し、本願の譲受人に譲渡され、本明細書に参照により明確に組み込まれる。
【背景技術】
【０００２】
[0002]  開示された態様は、概して、デバイス間の通信および／またはデバイス内の通信に関し、具体的には、近距離通信（ＮＦＣ）における能動負荷変調をインプリメントすることに関する。
[0003]  技術の進歩は、より小型で、より強力なパーソナルコンピューティングデバイスをもたらした。例えば、それぞれ小型で、軽く、かつユーザによって容易に持ち運ばれることができる携帯用無線電話、携帯情報端末（ＰＤＡ）、およびページングデバイスなどの無線コンピューティングデバイスを含む様々な携帯用パーソナルコンピューティングデバイスが現在存在している。より具体的には、例えば、携帯用無線電話は、無線ネットワーク上で音声およびデータパケットを通信するセルラ電話をさらに含む。多くのこのようなセルラ電話は、絶えず増大するコンピューティング能力とともに製造され、したがって、小型のパーソナルコンピュータおよびハンドヘルドＰＤＡと同等になりつつある。さらに、このようなデバイスは、セルラ通信、無線ローカルエリアネットワーク（ＷＬＡＮ）通信、近距離無線通信（ＮＦＣ：near field communication）等のような、様々な周波数および適用可能なカバレッジエリアを使用する通信を可能にする。
【０００３】
[0004]いくつかのターゲットＮＦＣデバイス、たとえば、カード、タグ等において、受動負荷変調がインプリメントされることができる。しかしながら、ターゲットＮＦＣデバイスにおいて受動負荷変調のインプリメンテーションは制限された送信レンジ(range)を引き起こす可能性がある。このため、この制限を克服するために能動負荷変調がインプリメントされることができる。すなわち、能動負荷変調がインプリメントされたターゲットＮＦＣデバイスはイニシエータＮＦＣデバイス、例えば、リーダー(readers)、イニシエータ(initiators)等により生成された信号と同じスペクトル特性を有する信号を生成するように構成されることができる。しかしながら、イニシエータＮＦＣデバイスとターゲットＮＦＣデバイスは同期されなければならない。従って、イニシエータＮＦＣデバイスとターゲットＮＦＣデバイスにより生成された信号間の同期が望ましいかもしれない。
【発明の概要】
【０００４】
[0005]以下は、１つまたは複数の態様の概要を示し、そのような態様の基本的な理解を提供する。この概要は、企図されるすべての態様の広範な概観ではなく、また、すべての態様の主要または重要な要素を特定するようにも、任意またはすべての態様の範囲を定めるようにも意図されない。その目的は、後に示されるより詳細な説明への前置きとして、１つまたは複数の態様形式のいくつかの概念を示すことである。
【０００５】
[0006]ＮＦＣにおける能動負荷変調に関連した種々の態様が記載される。能動負荷変調に関する例示方法は、ビットの変調された部分と非変調部分を決定することを含む。さらに、例示方法はビットの変調された部分の期間に受信されたキャリア信号の位相をホールドすることを含む。さらに、例示方法は、ビットの非変調部分の期間に、受信されたキャリア信号へ同期化することを含む。
【０００６】
[0007]能動負荷変調に関する例示装置は、ビットの変調部と非変調部を決定するように構成されたコントロールユニットを含む。さらに、例示装置はビットの変調部分の期間に受信されたキャリア信号の位相をホールドし、ビットの非変調部分の期間に受信されたキャリア信号に同期化するように構成された位相ロックループ（ＰＬＬ）を含む。
【０００７】
[0008]能動負荷変調に関する他の例示装置はビットの変調部と非変調部を決定する手段を含む。さらに、例示装置はビットの変調部の期間に受信されたキャリア信号の位相をホールドする手段を含む。さらに、例示装置はビットの非変調部の期間に受信されたキャリア信号に同期化するための手段を含む。
【０００８】
[0009]能動負荷変調に関するコンピュータ実行可能コードを記憶する例示コンピュータ可読媒体はビットの変調部と非変調部を決定するためのコードを含む。さらに、例示コンピュータ可読媒体はビットの変調部の期間に受信されたキャリア信号の位相をホールドするためのコードを含む。さらに、例示コンピュータ可読媒体はビットの非変調部の期間に受信されたキャリア信号に同期化するためのコードを含む。
【０００９】
[0010]前述した目的および関連する目的を達成するために、１つまたは複数の態様は、以下に十分に説明され、かつ特許請求の範囲において具体的に示される特徴を備える。以下の説明および添付図面は、１つ以上の態様のある特定の例示的な特徴を詳細に説明する。しかしながら、これらの特徴は、様々な態様の原理が用いられ得る様々な手法のほんの一部を示すものであり、この説明は、そのような全ての態様およびそれらの同等物を含むことを意図する。
【図面の簡単な説明】
【００１０】
[0011]開示される態様は、開示される態様を限定するのではなく例示するよう提供される、添付図面と併せて本明細書の以下において説明され、同様の表記は同様の要素を表す。
【図１】［0012］図１は、本開示の一態様に従うワイヤレス通信システムのブロック図である。
【図２】［0013］図２は、本開示の一態様に従うワイヤレス通信システムの概略図である。
【図３】［0014］図３は、本開示の一態様に従うＮＦＣシステムのブロック図である。
【図４】[0015]図４は、本開示の一態様に従う能動負荷変調の概念図である。
【図５】[0016]図５は本開示の一態様に従う能動負荷変調の一態様を記載するフローチャートである。
【図６】［0017］図６は、本開示の一態様に従う他のＮＦＣ環境のブロック図である。
【図７】[0018]図７は、本開示の一態様に従う通信デバイスの機能ブロック図の例示アーキテクチャである。
【発明の詳細な説明】
【００１１】
[0019]多様な態様が、これから図面を参照して説明される。以下の記述では、説明の目的で、多くの特定の詳細が、１つまたは複数の態様についての完全な理解を提供するために記載される。しかしながら、このような（複数を含む）態様は、これら特定の詳細なしで実現され得ることが理解されるべきである。
【００１２】
[0020]本態様は一般にイニシエータＮＦＣデバイスとターゲットＮＦＣデバイスによりそれぞれ生成された信号を同期化することに関し、それらはともにＮＦＣを用いて通信するように構成されることができる。ここに参照されるように、ターゲットＮＦＣデバイスはＮＦＣ無線インターフェースを介してイニシエータＮＦＣデバイスに無線で通信することができるデバイス、カード、またはタグと呼ぶことができる。典型的に、カードリーダのようなイニシエータＮＦＣデバイスはターゲットＮＦＣデバイスとの通信をイニシエートすることができる。ターゲットＮＦＣデバイスは通信のイニシエーションに応答して、イニシエータＮＦＣデバイスに信号を送信することによりイニシエータＮＦＣデバイスとの通信を開始することができる。
【００１３】
[0021]ターゲットＮＦＣデバイスにより送信された信号がイニシエータＮＦＣデバイスにより正しく復号されるために、信号はイニシエータＮＦＣデバイスにより生成されたキャリア信号に同期されることができる。すなわち、ターゲットＮＦＣデバイスは信号の各ビットの非変調部の期間にキャリア信号に同期化し、信号の各ビットの変調部の期間にキャリア信号の位相をホールドするように構成されることができる。
【００１４】
[0022]本開示の態様は、本明細書で説明される動作または機能を行い得る１つまたは複数のコンポーネントおよび１つまたは複数の方法を参照して描かれる。ある態様では、本明細書で使用される「コンポーネント」という用語は、システムを構成する部分のうちの１つであり得、ハードウェアまたはソフトウェア、あるいはこれらのいくつかの組み合わせであり得、他のコンポーネントに分割され得る。ここに記載される動作は特定の順序で、および／または例示コンポーネントによって実行されているとして示されるが、アクションおよびアクションを実行するコンポーネントの順序は、インプリメンテーションに応じて変化され得ると理解されるべきである。さらに、以下のアクションまたは機能は、特別にプログラムされたプロセッサ、特別にプログラムされたソフトウェアまたはコンピュータ可読媒体を実行するプロセッサは、または記載されるアクションまたは機能を実行することができるハードウェアコンポーネントおよび／またはソフトウェアコンポーネントの任意の他の組み合わせによって実行され得ると理解されるべきである。
【００１５】
[0023]図１はここに記載された種々の態様に従う、ワイヤレス送信システム１００を例示する。いくつかの態様において、送信機１０４はイニシエータ１３０の一部として含まれることができる。少なくともいくつかの例において、イニシエータ１３０はターゲット１３２へのリファレンスとしてキャリア信号を供給し送信するように構成されたイニシエータＮＦＣデバイスに言及することができる。ターゲット１３２はさらにキャリア信号に基づいて変調信号を送信するように構成されることができる。入力電力１０２はエネルギー転送を供給するために放射誘導場(a radiated inductive field)１０６を発生する送信機１０４に供給される。受信機１０８は放射誘導場１０６に結合し出力電力１１０に結合されたデバイス（図示せず）による蓄積または消費のために出力電力１１０を発生する。送信機１０４と受信機１０８はともに距離１１２だけ離れており、それはここでは、動作空間(operating volume)（ＯＶ）とも呼ばれる。一例において、送信機１０４と受信機１０８は相互共振関係に従うように構成され受信機１０８の共振周波数と送信機１０４の共振周波数がしきい値ＯＶ内にあるとき、送信機１０４と受信機１０８との間の送信損失は最小である（たとえば、受信機１０８が放射誘導場１０６の「近接場」に位置されるとき）。
【００１６】
[0024]イニシエータ１３０内の送信機１０４はさらにエネルギーおよび信号を送信するための送信アンテナ１１４を含む。ターゲット１３２内の受信機１０８は信号および必要であればエネルギーを受信するための受信アンテナ１１８を含む。送信アンテナ１１４と受信アンテナ１１８はアプリケーションおよびアプリケーションに関連づけられたデバイスに従う大きさに形成されることができる。上述したように、電磁波内のエネルギーのほとんどを遠距離場に伝搬するよりもむしろ送信アンテナ１１４の近接場内のエネルギーの大部分を受信アンテナ１１８に結合することにより効率的なエネルギー転送を生じることができる。この近接場内にあるとき、送信アンテナ１１４と受信アンテナ１１８との間でカップリングモードを発展させることができる。この近接場カップリングを生じることができるアンテナ１１４および１１８周辺のエリアはここでは、カップリングモード領域と呼ばれる。すくなくともいくつかの例において、ターゲット１３２はさらに送信機１０４と実質的に類似する機能を実行する送信機１２４を含む。送信機１２４は同様に送信アンテナ１３４を含むことができる。
【００１７】
[0025]いくつかの態様において、ターゲット１３２はさらにコントロールユニット１２０と位相ロックループ（ＰＬＬ）１２２を含むことができる。ターゲット１３２からイニシエータ１３０へ送信された信号の各ビットに関して、コントロールユニット１２０は変調部と非変調部を決定するように構成されることができる。各ビットの変調部の期間にＰＬＬ１２２は受信されたキャリア信号の位相をホールドまたは維持するように構成されることができる。各ビットの非変調部の期間に、ＰＬＬ１２２はキャリア信号へ同期化するように構成されることができる。
【００１８】
[0026]図２は例示近距離ワイヤレス通信システム２００の概略図である。送信機１０４は発振器２２２、電力増幅器２２４およびフィルタ及びマッチング回路２２６を含む。いくつかの態様において、送信機１０４はイニシエータ１３０（図１）の一部として含まれることができる。発振器２２２は所望の周波数で信号を発生するように構成され、それは調整信号２２３に応答して調整されることができる。発振器信号は制御信号２２５に応答する増幅量で電力増幅器２２４により増幅されることができる。フィルタ及びマッチング回路２２６は高調波または他の望ましくない周波数を除去し、送信機１０４のインピーダンスを送信アンテナ１１４にマッチさせるために含まれることができる。
【００１９】
[0027]受信機１０８は図２に示されるバッテリ２３６をチャージするためにＤＣ電力出力を発生するためにまたは受信機に結合されたデバイス（図示せず）に電力供給するために整流およびスイッチング回路２３４及びマッチング回路２３２を含むことができる。しかしながら、磁場による電力供給が必要でないかもしれないようにデバイスは各々バッテリ（例えば、ピアツーピア通信において）を有することができることが理解されるべきである。マッチング回路２３２は受信機１０８のインピーダンスを受信アンテナ１１８にマッチさせるためにマッチング回路２３２が含まれることができる。一例において、受信機１０８と送信機１０４は別個の通信チャネル２１９（例えば、Bluetooth（登録商標）、WiFi、zigbee、セルラ等）上で通信することができる。
【００２０】
[0028]図３を参照すると、一態様において、本開示に従うＮＦＣシステムのブロック図が例示される。図示されるように、イニシエータ１３０はＮＦＣ内のターゲット１３２と通信状態にあり得る。ターゲット１３２は位相周波数検出器（ＰＦＤ）３０８、ＰＬＬ１２２、コントロールユニット１２０、クロック発生器３１４、デジタルモデム３１６、および送信コンポーネント３１８を含むことができる。
【００２１】
[0029]一態様において、イニシエータ１３０は変調の基礎としてターゲット１３２にキャリア信号を送信することができる。ターゲット１３２はターゲッ１３２からイニシエータ１３０へ送信された信号を制御するので、コントロールユニット１２０は信号の各ビットの変調部と非変調部を決定するように構成されることができる。ターゲット１３２はターゲット１３２からイニシエータ１３０へ送信された信号を制御するので、コントロールユニット１２０はいつ「１」を送信し、いつ「０」を送信するかを決定することができる。「１」と「０」はそれぞれあらかじめ決められた非変調部を含むことができるので、コントロールユニット１２０はいつ非変調部が開始し終了するかを決定することができ従っていつＰＬＬ１２２をアクティブにするかを決定することができる。すなわち、ビットの非変調部の期間に、コントロールユニット１２０は、ＰＬＬ１２２がイニシエータ１３０から送信されたキャリア信号に信号を同期化することができるようにＰＦＤ３０８とＰＬＬ１２２をアクティブにするように構成されることができる。信号の各ビットの変調部の期間にＰＬＬ１２２は受信されたキャリア信号に信号の位相をホールドするように構成されることができる。すなわち、ＰＬＬ１２２は現在ビットまたは次のビットの非変調部まで位相シフトを克服する(overcome)ために信号の位相を維持するように構成されることができる。
【００２２】
[0030]ＰＬＬ１２２からの出力信号に基づいて、クロックジェネレータ３１４は１つまたは複数のクロック信号を発生するように構成されることができる。受信されたキャリア信号とクロック信号との間の位相関係をＰＦＤ３０８が決定することができるようにＰＦＤ３０８の入力としてクロック信号の少なくとも１つが供給されることができる。少なくともいくつかの例において、クロック信号の位相が受信されたキャリア信号の位相と異なることを位相関係が示す場合、ＰＬＬ１２２はクロック信号を受信されたキャリア信号に同期化させるように構成されることができる。さらに、いくつかの例において、ＰＦＤ３０８はトライステート(tri-stated)されることができ、クロックの第４４８次高調波、例えば、実質的に６ＧＨｚに近接した周波数が、受信されたキャリア信号にクロック信号を同期化させるために利用される。さらに決定された位相関係がミスマッチを示したとき、ＰＬＬ１２２はローカルクロック信号の位相を調整するように構成されることができる。
【００２３】
[0031]さらに、クロック信号の１つはキャリアとしてデジタルモデム３１６に供給されることができる。少なくとも１つの例示変調プロセスに従って、キャリアは送信されるべき情報を含む可能性がある変調信号で変調されることができる。変調信号で変調されたキャリアは次に送信コンポーネント３１８に供給されることができる。
【００２４】
[0032]一態様において、送信コンポーネント３１８は送信機１２４および／またはそれらの任意のコンポーネントを含むことができる。送信コンポーネント３１８はイニシエータ１３０に変調されたキャリアを送信するように構成されることができる。
【００２５】
[0033]図４を参照すると、本開示の一態様に従う能動負荷変調の概念図が例示される。描画されるように、変調信号４０８の各ビットは変調部４０２と非変調部４０４を含むことができる。非変調部４０４の期間に、送信機が送信しないとき、変調信号４０８はいかなる波形も含まない。このため、送信期間に変調信号４０８はキャリア信号４０６を変調するために利用され、非変調部４０４の期間ではキャリア信号４０６の位相特性は影響を受けなくすることができる。したがって、変調信号４０８を用いてキャリア信号４０６が変調されるとき、非変調部４０４の期間における影響を受けない位相特性はキャリア信号４０６に同期化されることができる。
【００２６】
[0034]図５を参照すると、一動作態様において、能動負荷変調の態様を記載するフローチャートが例示される。説明の簡略化の目的で、方法は一連の動作として説明および示されているが、方法（およびそれらに関連したさらなる方法）は、１つまたは複数の態様に従って、いくつかの動作は、ここに説明および示されるものとは異なる順序で、および／または、他の動作と同時に起こり得るので、これら方法は動作の順序によって限定されないことが理解および認識されるべきである。たとえば、方法は、状態図など、一連の相互に関係する状態またはイベントとして代替的に表現され得ることを諒解されたい。さらに、１つまたは複数の態様に従って方法をインプリメントするために、必ずしも例示されたすべての動作が必要とされる訳ではない。ここに示されるように、破線ブロックは能動負荷変調の態様の任意動作を示すことができる。
【００２７】
[0035]一態様において、ブロック５０２において、方法５００はビットの変調部と非変調部を決定することを含む。すなわち、コントロールユニット１２０は信号の各ビットの変調部と非変調部を決定するように構成されることができる。ターゲット１３２はターゲット１３２からイニシエータ１３０へ送信される信号を制御するので、コントロールユニット１２０はいつ「１」を送信しいつ「０」を送信するかを決定することができる。「１」と「０」はそれぞれあらかじめ決められた非変調部を含むことができるので、コントロールユニット１２０はいつ非変調部が開始し終了するかを従っていつＰＬＬ１２２をアクティブにするかを決定することができる。
【００２８】
[0036]ブロック５０４において、方法５００はビットの変調部の期間に受信されたキャリア信号の位相をホールドすることができる。すなわち、ビットの非変調部の期間に、コントロールユニット１２０は、ＰＬＬ１２２がイニシエータ１３０から送信されたキャリア信号に信号を同期化させることができるようにＰＦＤ３０８とＰＬＬ１２２をアクティブにするように構成されることができる。
【００２９】
[0037]ブロック５０６において、方法５００は受信されたキャリア信号とローカルクロック信号との間の位相関係を決定することを含む。すなわち、ＰＬＬ１２２からの出力信号に基づいて、クロックジェネレータ３１４は１つまたは複数のクロック信号を発生するように構成されることができる。クロック信号と受信されたキャリア信号との間の位相関係をＰＦＤ３０８が決定することができるようにクロック信号の少なくとも１つがＰＦＤ３０８の入力として供給されることができる。少なくとも幾つかの例において、クロック信号の位相が受信されたキャリア信号の位相と異なることを位相関係が示している場合、ＰＬＬ１２２はクロック信号を受信されたキャリア信号に同期化させるように構成されることができる。
【００３０】
[0038]ブロック５０８において、方法５００はビットの非変調部の期間にキャリア信号への同期化を含む。信号の各ビットの変調部の期間に、ＰＬＬ１２２は受信されたキャリア信号の位相をホールドするように構成されることができる。すなわち、ＰＬＬ１２２は、現在のビットまたは次のビットの非変調部まで位相シフトを克服するために信号の位相を維持するように構成されることができる。
【００３１】
[0039]図６を参照すると、一態様に従う通信ネットワーク６００のブロック図が例示される。通信ネットワーク３００はＮＦＣを用いて通信するように構成されることができるターゲットＮＦＣデバイス６０４とイニシエータＮＦＣデバイス６０２を含むことができる。イニシエータＮＦＣデバイス６０２はターゲットＮＦＣデバイス６０４とのＮＦＣ通信を容易にするように構成されたＮＦＣアンテナコイル６０６を含むことができ、それは類似のＮＦＣコイル６２６を含むことができる。ターゲットＮＦＣデバイス６０４はターゲット１３２と同じか類似であり得る。例えば、ターゲットＮＦＣデバイス６０４はコントロールユニット（図１）とＰＬＬ１２２（図１）を含むことができる。
【００３２】
[0040]ＮＦＣ通信の一環として、ＮＦＣアンテナコイル606は、ＮＦＣアンテナコイル606の周囲のエリアに、電磁場を生成し得る。場の強度（strength of the field）は、ＮＦＣアンテナコイル606のサイズ及び巻き数、並びに電力ソースに基づき得る。更に、インピーダンスミスマッチは、磁場628におけるＮＦＣアンテナコイル606のインダクタンス及びサイズに左右される様々な振幅／位相変化を引き起こし得る。キャパシタ618は、ＮＦＣアンテナコイル606と並列に接続され得、ここで送信機コンポーネント612及びキャパシタ618はイニシエータＮＦＣデバイス６０２の１つまたは複数の送信周波数に対応する周波数を用いて共振回路を確立するＲＬＣ発振器を形成することができる。
【００３３】
[0041]使用される周波数の波長は、ターゲットＮＦＣデバイス３０４のアンテナコイル６２６とＮＦＣアンテナコイル６０６との間の近接近距離よりも数倍大きいので、電磁場は交番磁界６２８として取り扱うことができる。この近接近領域は近接場領域と呼ばれる。イニシエータＮＦＣデバイス６０２とターゲットＮＦＣデバイス６０４は、一次コイルがＮＦＣアンテナコイル３０６であり、二次コイルがターゲットＮＦＣデバイス６０４のアンテナコイル６２６である空芯変圧器のように、それらの相互インダクタンスによりリンクされることができる。ターゲットＮＦＣデバイス６０４のアンテナコイル６２６内の交流電流を含む交番磁界６２８は近接場領域内にあるとき、ターゲットＮＦＣデバイス３０４のアンテナコイル６２６を貫通する。
【００３４】
[0042]リスニングモードで動作している時、ＮＦＣアンテナコイル606、キャパシタ620、（オプションの）エナジーハーベスタ（ＥＨ：energy harvester）616及び受信機コンポーネント614は、ターゲットＮＦＣデバイス６０４による信号の変調が検出されることができる共振回路を確立するＲＬＣ発振器を形成することができる。送信モードで動作するとき、イニシエータＮＦＣデバイス６０２は可変負荷抵抗をＮＦＣアンテナコイル６０６に印加することができ、それによりターゲットＮＦＣデバイス６０４にデータを転送するために送信された信号を送信するように磁場６２８を変調する。
【００３５】
[0043]図７は通信デバイス７００の例示アーキテクチャを図示する。通信デバイスはイニシエータ１３０、ターゲット１３２、イニシエータＮＦＣデバイス６０２、ターゲットＮＦＣデバイス６０４等を含むことができ、したがって、それらのコンポーネントを含むことができおよび／または上述した関連する機能を実行することができる。図7に示されるように、通信デバイス700は、例えば、受信アンテナ（図示せず）から信号を受信し、受信された信号に関する典型的な動作（例えば、フィルタをかける、増幅する、ダウンコンバートする等）を実行し、およびサンプルを取得するために、調整された信号をデジタル化する受信機702を備える。受信機702は、受信されたシンボルを復調し、チャネル推定のためにプロセッサ706にそれらを提供することができる復調器704を含むことができる。プロセッサ706は、受信機702によって受信される情報を分析すること、および／または送信機720による送信のための情報を生成することの専用プロセッサ、通信デバイス７００の１以上のコンポーネントを制御するプロセッサ、および／または受信機７０２により受信された情報の解析と送信機７２０による送信のための情報の生成の両方を行うとともに通信デバイス７００の１つ以上のコンポーネントを制御するプロセッサであり得る。さらに、プロセッサ７０６により処理された信号を変調することができる変調器７１８を介した送信機７２０による送信のための信号が作成されることができる。
【００３６】
[0044]通信デバイス700は、プロセッサ706に動作可能に結合され、かつ、送信されるデータ、受信されたデータ、利用可能なチャネルに関する情報、ＴＣＰフロー、分析された信号および／または干渉強度と関連づけられたデータ、割り当てられたチャネルや電力やレート等に関する情報、および、チャネルを推定し、このチャネルを介して通信するためのその他任意の適切な情報を格納し得る、メモリ708を追加で備え得る。
【００３７】
[0045]さらに、送信機７２０は送信回路において送信されたキャリアのための送信信号を発生することができ、受信機７０２は受信回路において受信されたキャリアを受信することができる。上述したように、送信機７２０は受信機７０２が非変調キャリアを受信することができるように受信機７０２にループバックされることができる。プロセッサ７０６は、受信された非変調キャリアを、送信機７２０により発生された送信信号と比較することに基づいて他の通信デバイスとのオーバーカップリング状態(an over-coupling condition)を検出するためのオーバーカップリング検出コンポーネント７５０を含むかまたはインプリメントすることができる。上述したように、オーバーカップリング状態が生じると、これは受信されたキャリアおよび送信信号の位相、振幅、ＤＣレベルまたは他のメトリックとの間のしきい値差分に基づいて検出されることができる。オーバーカップリング状態が検出されると、プロセッサ７０６は、上述したように、オーバーカップリング状態を緩和するために送信機７２０または受信機７０２の送信または受信メトリックを変調するＴｘ／Ｒｘパラメータコンポーネント７２０を含むかまたはインプリメントすることができる。またプロセッサ７０６は、コンポーネントにより変化されない信号内のオーバーカップリングの検出を容易にするために受信機７０２とオーバーカップリング検出コンポーネント７５０との間に存在することができる通信デバイス７００の１つまたは複数のフィルタまたは他の信号処理コンポーネントをバイパスするためのフィルタバイパスコンポーネント７５４を含むかまたはインプリメントすることができる。
【００３８】
[0046]ここに説明されるデータストア（例えば、メモリ７０８）は、揮発性メモリまたは不揮発性メモリのいずれかであり得るか、あるいは揮発性メモリと不揮発性メモリとの両方を含み得ることが認識されるであろう。限定ではなく例として、不揮発性メモリは、読取専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ（登録商標））、またはフラッシュメモリを含み得る。揮発性メモリは、外部キャッシュメモリとして動作するランダムアクセスメモリ（ＲＡＭ）を含み得る。限定ではなく例として、ＲＡＭは、シンクロナスＲＡＭ（ＳＲＡＭ）、ダイナミックＲＡＭ（ＤＲＡＭ）、シンクロナスＤＲＡＭ（ＳＤＲＡＭ）、ダブルデータレートＳＤＲＡＭ（ＤＤＲ ＳＤＲＡＭ）、エンハンストＳＤＲＡＭ（ＥＳＤＲＡＭ）、シンクリンク(Synchlink)ＤＲＡＭ（ＳＬＤＲＡＭ）、およびダイレクトラムバス(Rambus) ＲＡＭ（ＤＲＲＡＭ）などの多くの形態で利用可能である。主題のシステムおよび方法のメモリ608は、それに限定されることなく、これらのタイプのメモリおよびその他任意の適切なタイプのメモリを備え得る。例えば、メモリ６０８はここに記載された種々のコンポーネントの機能を実行するための命令を含むことができる。
【００３９】
[0047]通信デバイス７００はコントロールユニット（図１）およびＰＬＬ１２２（図１）を含むことができる。加えて、通信デバイス700は、ユーザインタフェース740を含み得る。ユーザインタフェース740は、通信デバイス700の中に入力を生成するための入力機構742と、通信デバイス700のユーザによる消費についての情報を生成するための出力機構744とを含み得る。例えば、入力機構７４２は、キーまたはキーボード、マウス、タッチスクリーンディスプレイ、マイクロフォン、等、のようなメカニズムを含み得る。更に、例えば、出力メカニズム744は、ディスプレイ、オーディオスピーカ、触覚（haptics）フィードバックメカニズム等を含み得る。例示された観点において、出力メカニズム744は、画像または映像形式にあるメディアコンテンツを提供するように構成されたディスプレイ、またはオーディオ形式にあるメディアコンテンツを提供するためのオーディオスピーカを含み得る。本願で使用される場合、「コンポーネント」、「モジュール」、「システム」、等の用語は、それに限定されるものではないが、ハードウェア、ファームウェア、ハードウェアとソフトウェアの組み合わせ、ソフトウェア、または実行中のソフトウェアのような、コンピュータ関連エンティティを含むように意図される。例えば、コンポーネントは、それに限定されるものではないが、プロセッサで実行中のプロセス、プロセッサ、オブジェクト、プログラムとして実行可能なファイル（executable）、実行スレッド、プログラム、および／またはコンピュータであり得る。例示として、コンピューティングデバイス上において実行中のアプリケーションおよびコンピューティングデバイスの両方は、コンポーネントであることができる。１つ以上のコンポーネントが、プロセスおよび／または実行スレッド内に存在することができ、１つのコンポーネントが、１つのコンピュータでローカライズされ得る、および／または、２つ以上のコンピュータ間で分散され得る。さらに、これらのコンポーネントは、その上に記憶された様々なデータ構造を有する様々なコンピュータ可読媒体から実行されることができる。コンポーネントは、信号を介して他のシステムと、インターネットのようなネットワークにわたって、および／またはローカルシステム、分配されたシステム内における別のコンポーネントと相互作用する１つのコンポーネントからのデータのような、１つまたは複数のデータパケットを有する信号にしたがうことなどによってローカルおよび／またはリモート処理を介して通信し得る。
【００４０】
[0049]さらに、本明細書では、様々な態様が、端末に関連して説明され、それは、有線端末または無線端末であり得る。端末はまた、システム、デバイス、加入者ユニット、加入者局、移動局、モバイル、モバイルデバイス、遠隔局、モバイル機器（ＭＥ）、遠隔端末、アクセス端末、ユーザ端末、端末、通信デバイス、ユーザエージェント、ユーザデバイス、またはユーザ機器（ＵＥ）と称され得る。無線端末は、セルラ電話、衛星電話、コードレス電話、セッション開始プロトコル（ＳＩＰ）電話、無線ローカルループ（ＷＬＬ）局、携帯情報端末（ＰＤＡ）、無線接続機能を有するハンドヘルドデバイス、コンピューティングデバイス、または、無線モデムに接続されたその他の処理デバイスであり得る。さらに、本明細書では、様々な態様が、基地局に関連して説明される。基地局は、（複数を含む）無線端末と通信するために利用されることができ、また、アクセスポイント、ノードＢ、またはいくつかのその他の用語で称されることもできる。
【００４１】
[0050]さらに、「または（“or”）」という用語は、排他的な「または」ではなく、包括的な「または」を意味するように意図される。すなわち、別段の規定がない限り、または文脈から明白でない限り、「ＸはＡまたはＢを使用する」という句は、自然な包括的置換のいずれかを意味するものとする。つまり、「ＸはＡまたはＢを使用する」という句は、ＸがＡを使用する場合、ＸがＢを使用する場合、またはＸがＡとＢの両方を使用する場合のいずれによっても満たされる。さらに、本願および添付の特許請求の範囲で使用される冠詞「ａ」および「ａｎ」は、別段の規定がない限り、または単数形を示すことが文脈から明白でない限り、概して「１つまたは複数」を意味するものと解釈されるべきである。
【００４２】
[0051]本明細書で説明された技術は、ＣＤＭＡ、ＴＤＭＡ、ＦＤＭＡ、ＯＦＤＭＡ、ＳＣ−ＦＤＭＡおよび他のシステムなどの、様々な無線通信システムのために使用され得る。
【００４３】
[0052]様々な態様または特徴は、多数のデバイス、コンポーネント、モジュール、等、を含み得るシステムの観点から提示されるであろう。さらに、様々なシステムは、追加的なデバイス、コンポーネント、モジュールなどを含み得る、および／あるいは図に関連して説明されるデバイス、コンポーネント、モジュールなどの全てを含まない可能性がある、ということが理解および認識される。これらのアプローチの組み合わせも使用され得る。本明細書に開示された態様に関連付けて説明された多様な例示的な論理、論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）あるいはその他のプログラマブルロジックデバイス、離散ゲートもしくはトランジスタロジック、離散ハードウェアコンポーネント、あるいは本明細書において説明された機能を実行するために設計された、それら任意の組合せで実施あるいは実行され得る。汎用プロセッサは、マイクロプロセッサであっても良いが、代替として、プロセッサは、従来のプロセッサ、コントローラ、マイクロコントローラ、またはステートマシーンのいずれかであっても良い。プロセッサはまた、例えば、ＤＳＰとマイクロプロセッサの組み合わせ、複数のマイクロプロセッサ、ＤＳＰコアと連携した１つまたは複数のマイクロプロセッサ、あるいはその他任意のこのような構成である、コンピューティングデバイスの組み合わせとして実装され得る。さらに、少なくとも１つのプロセッサは、上述された１つまた複数のステップおよび／または動作を実行するように構成された１つまた複数のモジュールを備え得る。
【００４４】
[0054]さらに、本明細書において開示された態様に関連して説明された方法またはアルゴリズムのステップおよび／または動作は、直接ハードウェア内において、プロセッサによって実行されるソフトウェアモジュール内において、または２つの組み合わせ内において具現化され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当該技術で周知の任意の他の形態の記憶媒体内に存在し得る。実例的な記憶媒体は、プロセッサが記憶媒体から情報を読み取り、また、記憶媒体に情報を書き込むことができるように、プロセッサに結合され得る。代替において、記憶媒体は、プロセッサと一体化され得る。さらに、いくつかの態様では、プロセッサおよび記憶媒体は、ＡＳＩＣ内に存在し得る。加えて、ＡＳＩＣはユーザ端末内において存在し得る。代替において、プロセッサおよび記憶媒体は、ユーザ端末内にディスクリートコンポーネントとして存在し得る。さらに、いくつかの態様では、方法またはアルゴリズムのステップおよび/または動作は、コンピュータプログラム製品に組み込まれ得る、機械可読媒体および/またはコンピュータ可読媒体上のコードおよび/または命令の1つまたは任意の組み合わせ、あるいはそのセットとして存在し得る。
【００４５】
[0055]１つまたは複数の態様では、説明された機能は、ハードウェア、ソフトウェア、ファームウェア、またはこれらの任意の組み合わせでインプリメントされ得る。ソフトウェアでインプリメントされる場合、これら機能は、コンピュータ可読媒体上で、１つまたは複数の命令またはコードとして送信または記憶され得る。コンピュータ可読媒体は、１つの場所から別の場所へのコンピュータプログラムの転送を容易にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは命令もしくはデータ構造の形で所望のプログラムコードを搬送または記憶するために使用されることができ、コンピュータによってアクセスされることができる任意の他の媒体を備えることができる。また、任意の接続も、コンピュータ可読媒体と称され得る。例えば、ソフトウェアが、同軸ケーブル、光ファイバーケーブル、ツイストペア、デジタル加入者回線（ＤＳＬ）、または赤外線（ＩＲ）、無線、およびマイクロ波などのワイヤレス技術を使用して、ウェブサイト、サーバ、またはその他のリモートソースから送信される場合には、この同軸ケーブル、光ファイバーケーブル、ツイストペア、ＤＳＬ、または赤外線、無線、およびマイクロ波などのワイヤレス技術は、媒体の定義に含まれる。ここで使用される場合、ディスク（disk）およびディスク（disc）は、コンパクトディスク（ＣＤ）、レーザーディスク（登録商標）、光ディスク、デジタル多目的ディスク（ＤＶＤ）、フロッピー（登録商標）ディスクおよびブルーレイ（登録商標）ディスクを含み、ここでディスク（disk）は、通常磁気的にデータを再生し、一方ディスク（disc）は、レーザーを用いて光学的にデータを再生する。上記の組み合わせもまた、コンピュータ可読媒体の範囲内に含まれるべきである。
【００４６】
[0056]上記の開示は、例示的な態様および/または態様を説明している一方で、説明された態様および／または添付の特許請求の範囲によって定義された態様の範囲から逸脱することなく、様々な変更および修正が本明細書で行われ得ることに留意されたい。さらに、説明された態様および/または態様の要素は、単数形で説明または特許請求され得るが、単数形に限定することが明記されていない限り、複数形が企図される。さらに、任意の態様および/または態様の全部または一部は、別段の規定がない限り、任意の他の態様および/または態様の全部または一部とともに利用され得る。
【図１】
2018511214.tif 000003
【図２】
2018511214.tif 000004
【図３】
2018511214.tif 000005
【図４】
2018511214.tif 000006
【図５】
2018511214.tif 000007
【図６】
2018511214.tif 000008
【図７】
2018511214.tif 000009
【手続補正書】
【提出日】平成29年10月18日(2017.10.18)
【手続補正１】
【補正対象書類名】特許請求の範囲
【補正対象項目名】全文
【補正方法】変更
【補正の内容】
【特許請求の範囲】
【請求項１】
能動負荷変調のための方法において、
第１の近距離通信（ＮＦＣ）において、変調部と非変調部を有した信号を第２のＮＦＣデバイスから受信することと、ここにおいて、前記信号はキャリアリファレンス信号を備える、
前記第１のＮＦＣデバイスにより、前記第２のＮＦＣデバイスから受信された前記キャリアリファレンス信号をリカバーすることと、
各ビットに関する前記信号の前記変調部の期間に、前記第１のＮＦＣデバイスにより、前記受信されたキャリアリファレンス信号の位相を維持することと、および
前記各ビットに関する信号の前記非変調部の期間に、前記第１のＮＦＣデバイスにより、前記受信されたキャリアリファレンス信号に同期化することと、
を備えた方法。
【請求項２】
前記受信されたキャリアリファレンス信号とローカルクロック信号との間の位相関係を決定することとをさらに備えた、請求項１の方法。
【請求項３】
前記同期化することは、前記前記決定された位相関係に基づいて前記受信されたキャリアリファレンス信号に同期化することを備えた、請求項２の方法。
【請求項４】
前記決定された位相関係がミスマッチを示すとき前記ローカルクロック信号の位相を調整することを更に備えた、請求項２の方法。
【請求項５】
前記同期化することは実質的に６ＧＨｚに近接した周波数またはローカルクロック信号の第４４８次高調波に実質的に近接した周波数で前記受信されたキャリアリファレンス信号に同期化することを備えた、請求項１の方法。
【請求項６】
実行可能な命令を記憶するメモリと、
前記メモリと通信しているプロセッサと、ここにおいて、前記プロセッサは、
変調部と非変調部を有した信号を受信し、ここにおいて、前記信号はキャリアリファレンス信号を備える、及び
前記受信されたキャリアリファレンス信号をリカバーする、
ための命令を実行するように構成され、
ここにおいて、前記プロセッサはさらに、
前記各ビットに関する信号の前記変調部の期間に前記受信されたキャリアリファレンス信号の位相を維持し、および前記各ビットの信号の前記非変調部の期間に前記受信されたキャリアリファレンス信号に同期化するための命令を実行するように構成される、
を備えた、能動負荷変調のための装置。
【請求項７】
前記プロセッサは、前記受信されたキャリア信号とローカルクロック信号との間の位相関係を決定するための命令を実行するように構成された、請求項６の装置。
【請求項８】
前記プロセッサは前記決定された位相関係に基づいて前記受信されたキャリアリファレンス信号に同期化するための命令を実行するように構成される、請求項７の装置。
【請求項９】
前記プロセッサは前記決定された位相関係がミスマッチを示すとき前記ローカルクロック信号の位相を調整するための命令を実行するようにさらに構成される、請求項７の装置。
【請求項１０】
前記プロセッサは実質的に６ＧＨｚに近接した周波数またはローカルクロック信号の第４４８次高調波に実質的に近接した周波数で前記受信されたキャリアリファレンス信号に同期化するための命令を実行するように構成される、請求項６の装置。
【請求項１１】
能動負荷変調のための装置において、
変調部と非変調部を有した信号を受信する手段と、ここにおいて、前記信号はキャリアリファレンス信号を備える、及び
前記受信されたキャリアリファレンス信号をリカバーする手段と、ここにおて、前記リカバーする手段は、
前記各ビットに関する信号の前記変調部の期間に前記受信されたキャリアリファレンス信号の位相を維持する手段と、
前記各ビットに関する信号の前記非変調部の期間に前記受信されたキャリアリファレンス信号に同期化する手段と、
を備えた装置。
【請求項１２】
前記受信されたキャリアリファレンス信号とローカルクロック信号との間の位相関係を決定する手段をさらに備えた請求項１１の装置。
【請求項１３】
前記同期化する手段は前記決定された位相関係に基づいて前記受信されたキャリアリファレンス信号に前記ローカルクロック信号を同期化させるための手段を備える、請求項１２の装置。
【請求項１４】
前記決定された位相関係がミスマッチを示すとき前記前記ローカルクロック信号の位相を調整する手段をさらに備えた、請求項１２の装置。
【請求項１５】
前記同期化する手段は、実質的に６ＧＨｚに近接する周波数またはローカルクロック信号の第４４８次高調波に実質的に近接した周波数で前記受信されたキャリアリファレンス信号に同期化する手段を備える、請求項１１の装置。
【請求項１６】
プロセッサにより実行されると前記プロセッサに、
変調部と非変調部を有した信号を受信させ、ここにおいて、前記信号はキャリアリファレンス信号を備える、及び
前記受信されたキャリアリファレンス信号をリカバーさせるための命令を備えた非一時的コンピュータ可読媒体において、
前記非一時的コンピュータ可読媒体はさらに、前記プロセッサにより実行されると、
前記各ビットに関する信号の変調部の期間に前記受信されたキャリアリファレンス信号の位相を維持させ、および
前記各ビットに関する信号の前記非変調部の期間に前記受信されたキャリアリファレンス信号に同期化させるための命令
を備えた、非一時的コンピュータ可読記憶媒体。
【請求項１７】
前記非一時的コンピュータ可読媒体は、前記プロセッサにより実行されると、前記プロセッサに、
前記受信されたキャリアリファレンス信号とローカルクロック信号との間の位相関係を決定させるための命令をさらに備えた、請求項１６の非一時的コンピュータ可読記憶媒体。
【請求項１８】
前記非一時的コンピュータ可読媒体は、前記プロセッサにより実行されると前記プロセッサに、
前記決定された位相関係に基づいて前記受信されたキャリアリファレンス信号に同期化させるための命令をさらに備えた、請求項１７の非一時的コンピュータ可読媒体。
【請求項１９】
前記非一時的コンピュータ可読媒体は、前記プロセッサにより実行されると前記プロセッサに、
前記決定された位相関係がミスマッチを示すとき前記ローカルクロック信号の位相を調整させる命令をさらに備えた、請求項１７の非一時的コンピュータ可読媒体。
【請求項２０】
前記非一時的コンピュータ可読媒体は、実質的に６ＧＨｚに近接した周波数またはローカルクロック信号の第４４８次高調波に実質的に近接した周波数で前記受信されたキャリアリファレンス信号に同期化させる命令をさらに備えた、請求項１６の非一時的コンピュータ可読媒体。
【請求項２１】
前記プロセッサはさらに前記受信されたキャリアリファレンス信号をリカバーするための位相ロックループ（ＰＬＬ）をアクティブにするための命令を実行するようにさらに構成された請求項６の装置。
【請求項２２】
前記プロセッサはさらに前記受信されたキャリアリファレンス信号をリカバーするための位相−周波数検出器（ＰＦＤ）をアクティブにするための命令を実行するように構成された請求項６の装置。
【手続補正２】
【補正対象書類名】明細書
【補正対象項目名】００４６
【補正方法】変更
【補正の内容】
【００４６】
[0056]上記の開示は、例示的な態様および/または態様を説明している一方で、説明された態様および／または添付の特許請求の範囲によって定義された態様の範囲から逸脱することなく、様々な変更および修正が本明細書で行われうることに留意されたい。さらに、説明された態様および/または態様の要素は、単数形で説明または特許請求されうるが、単数形に限定することが明記されていない限り、複数形が企図される。さらに、任意の態様および/または態様の全部または一部は、別段の規定がない限り、任意の他の態様および/または態様の全部または一部とともに利用されうる。
以下に本願の出願当初の特許請求の範囲に記載された発明を付記する。
［Ｃ１］能動負荷変調のための方法において、
ビットの変調部と非変調部を決定することと、
前記ビットの前記変調部の期間に、受信されたキャリア信号の位相をホールドすることと、および
前記ビットの前記非変調部の期間に前記キャリア信号に同期化することと、
を備えた方法。
［Ｃ2］
前記受信されたキャリア信号とローカルクロック信号との間の位相関係を決定することとをさらに備えた、Ｃ１の方法。
［Ｃ３］
前記同期化することは、前記前記決定された位相関係に基づいて前記受信されたキャリア信号に同期化することを備えた、Ｃ２の方法。
［Ｃ４］
前記決定された位相関係がミスマッチを示すとき前記ローカルクロック信号の位相を調整することを更に備えた、Ｃ２の方法。
［Ｃ５］
前記同期化することは実質的に６ＧＨｚに近接した周波数で前記キャリア信号に同期化することを備えた、Ｃ１の方法。
［Ｃ６］
ビットの変調部と非変調部を決定するように構成されたコントロールユニットと、
前記ビットの前記変調部の期間に受信されたキャリア信号の位相をホールドし、前記ビットの前記非変調部の期間に前記受信されたキャリア信号に同期化するように構成された位相ロックループ（ＰＬＬ）と、
を備えた、能動負荷変調のための装置。
［Ｃ７］
前記受信されたキャリア信号とローカルクロック信号との間の位相関係を決定するように構成された位相−周波数検出器（ＰＦＤ）とをさらに備えた、Ｃ６の装置。
［Ｃ８］
前記ＰＬＬは前記決定された位相関係に基づいて前記受信されたキャリア信号に同期化するように構成される、Ｃ７の装置。
［Ｃ９］
前記ＰＬＬは前記決定された位相関係がミスマッチを示したとき前記ローカルクロック信号の位相を調整するように構成される、Ｃ７の装置。
［Ｃ１０］
前記ＰＬＬは実質的に６ＧＨｚに近接した周波数で前記受信されたキャリア信号に同期化するように構成される、Ｃ６の装置。
［Ｃ１１］
能動負荷変調のための装置において、
ビットの変調部と非変調部を決定する手段と、
前記ビットの前記変調部の期間に受信されたキャリア信号の位相をホールドする手段と、
前記ビットの前記非変調部の期間に前記受信されたキャリア信号に同期化する手段と、
を備えた装置。
［Ｃ１２］
前記受信されたキャリア信号とローカルクロック信号との間の位相関係を決定する手段をさらに備えたＣ１１の装置。
［Ｃ１３］
前記同期化する手段は前記決定された位相関係に基づいて前記受信されたキャリア信号に前記ローカルクロック信号を同期させるように構成される、Ｃ１２の装置。
［Ｃ１４］
前記決定された位相関係がミスマッチを示したとき前記前記ローカルクロック信号の位相を調整する手段をさらに備えた、Ｃ１２の装置。
［Ｃ１５］
前記同期化する手段は、実質的に６ＧＨｚに近接する周波数で前記キャリア信号に同期化するように構成される、Ｃ１１の装置。
［Ｃ１６］
能動負荷変調のためのコンピュータ実行可能なコードを記憶するコンピュータ可読媒体において、
ビットの変調部と非変調部を決定するためのコードと、
前記ビットの変調部の期間にローカルクロック信号の位相をホールドするためのコードと、および
前記ビットの前記非変調部の期間に受信されたキャリア信号に前記ローカルクロック信号を同期化させるためのコードと、
を備えた、コンピュータ可読記憶媒体。
［Ｃ１７］
前記受信されたキャリア信号とローカルクロック信号との間の位相関係を決定するためのコードをさらに備えた、Ｃ１６のコンピュータ可読記憶媒体。
［Ｃ１８］
前記同期化するためのコードは、前記決定された位相関係に基づいて前記受信されたキャリア信号に同期化することを備えた、Ｃ１７のコンピュータ可読媒体。
［Ｃ１９］
前記決定された位相関係がミスマッチを示したとき前記ローカルクロック信号の位相を調整するためのコードをさらに備えた、Ｃ１７のコンピュータ可読媒体。
［Ｃ２０］前記同期化するためのコードは、実質的に６ＧＨｚに近接した周波数で前記キャリア信号に同期化することを備えた、Ｃ１６のコンピュータ可読媒体。
【国際調査報告】
2018511214.tif 000010
2018511214.tif 000011
2018511214.tif 000012